(57)【特許請求の範囲】
【請求項１】
相互に連接する背面パネル、上面パネル、正面パネルおよび底面パネルと、前記底面パネルの左右両端に連接した一対の内側面パネルと、前記上面パネルの左右両端に連接し前記内側面パネルの外側に重ねられ接着される一対の外側面パネルと、前記背面パネルと前記正面パネルの左右両端に連接し前記内側面パネルの内側に折り込まれるそれぞれ一対の折込パネルとを備える略直方体の紙製箱体内に、積層された衛生用紙が収納されている衛生用紙収納箱であって、
前記内側面パネルには、幅方向略中央で、前記外側面パネルとの接着部に達しない任意の位置を第１頂点とし、この第１頂点から前記底面パネル側の両隅角部に繋がり、前記内側面パネルの底側辺とで略三角形を形成する山状の上げ底部形成用第１山折線がそれぞれ対称位置に設けられ、さらに、前記第１頂点から前記内側面パネルの底側辺に垂下させた上げ底部形成用第２谷折線が設けられ、また、底面パネルには、前記内側面パネルの底側辺に垂下させた上げ底部形成用第２谷折線間を繋ぐ上げ底部形成用第３谷折線が設けられていることを特徴とする衛生用紙収納箱。
【請求項２】
前記外側面パネルの上側辺と前記上げ底部形成用第２谷折線の延長線とが交叉する位置を第２頂点とし、この第２頂点から前記外側面パネルの左右側辺に向かって、前記上げ底部形成用第１山折線と略平行な山状の上げ底部形成用第１補助谷折線が設けられ、さらに、前記第２頂点から前記外側面パネルの底側辺に垂下させた上げ底部形成用第２補助山折線が設けられていることを特徴とする請求項１に記載の衛生用紙収納箱。
【発明の詳細な説明】
【技術分野】
【０００１】
本発明は、ポップアップ式に取り出せるように交互に折り畳まれて積層されたティシュペーパー等の衛生用紙を収納する衛生用紙収納箱に関する。
【背景技術】
【０００２】
家庭やオフィス等で広く使用されているティシュペーパー、ペーパータオル等の衛生用紙をポップアップ式に取り出せるように交互に折り畳まれた状態で収納する衛生用紙収納箱として、直方体からなる紙製箱体の上面パネルに衛生用紙を取り出すための取り出し口を開口させる衛生用紙収納箱が知られている。
【０００３】
かかる衛生用紙収納箱では、内部に収納された衛生用紙が残り少なくなると、取り出し口から突出している衛生用紙を引き出したとき次の衛生用紙が取り出し口から突出しない場合があり、箱体の底に残った衛生用紙の取り出しに不便を強いられることがある。
そこで、衛生用紙が残り少なくなった場合でも容易に取り出せるようにした衛生用紙収納箱として、箱体の正面パネルと背面パネルに、正面形状が凸形で、その頂部が底面パネルからの高さが正面パネルの高さの略１／３となる位置を通り、その左右が正面及び背面の下隅角部に至る形状の谷折線を設け、底面パネルの中央であって、正面パネルと背面パネルを結ぶ方向に谷折線を形成した衛生用紙収納箱が開示されている（例えば、特許文献１参照。）。
【０００４】
特許文献１で開示されている衛生用紙収納箱は、衛生用紙が残り少なくなった場合、衛生用紙収納箱を逆さにして内部の衛生用紙を上面パネル側へ寄せ、正面パネル、背面パネル、底面パネルに形成した谷折線に沿って正面パネル、背面パネル、底面パネルを内方へ変形させ、底面パネルを上げ底に形成し、上げ底となった底面パネルにより衛生用紙を上方に押し上げた状態で支持するようになっている。
【先行技術文献】
【特許文献】
【０００５】
【特許文献１】実開平７−９７８３号公報
【発明の概要】
【発明が解決しようとする課題】
【０００６】
しかし、上記特許文献１の衛生用紙収納箱では、衛生用紙が残り少なくなった場合、衛生用紙収納箱を逆さにして底面パネルを上げ底に形成し、逆さにした衛生用紙収納箱を元に戻して、上げ底となった底面パネルにより衛生用紙を上方に押し上げた状態で支持するものであるが、衛生用紙収納箱を逆さにした場合、底面パネル側にあった残り少ない衛生用紙が不規則に上面パネル側に大きく移動することになり、交互に折り畳まれて積層された衛生用紙が崩れてしまい、却って取り出し難くなる場合があるといった問題がある。
また、衛生用紙収納箱の正面パネルと背面パネルに、正面形状が凸形で、その頂部が底面壁からの高さが正面壁の高さの略１／３となる位置を通り、その左右が正面及び背面の下隅角部に至る形状の谷折線を設けるので谷折線が長くなる。そのため、谷折線を谷折りしたときの正面パネルと背面パネルに係る曲げ応力が広く分散してしまい、正面パネルと背面パネルに歪みが発生して上面パネルに形成した取り出し口が拡がり衛生用紙が保持力を失い、取り出し口から突出している衛生用紙が箱体内に落ち込んでしまう場合があるといった問題がある。
【０００７】
本発明の目的は、箱体に上げ底部を形成することにより内部に収納された衛生用紙を容易に取り出せるようにするとともに、歪みを抑えて上げ底部が形成できるようにした衛生用紙収納箱を提供することにある。
【課題を解決するための手段】
【０００８】
上記目的を達成するために、請求項１に記載の発明は、相互に連接する背面パネル、上面パネル、正面パネルおよび底面パネルと、前記底面パネルの左右両端に連接した一対の内側面パネルと、前記上面パネルの左右両端に連接し前記内側面パネルの外側に重ねられ接着される一対の外側面パネルと、前記背面パネルと前記正面パネルの左右両端に連接し前記内側面パネルの内側に折り込まれるそれぞれ一対の折込パネルとを備える略直方体の紙製箱体内に、積層された衛生用紙が収納されている衛生用紙収納箱であって、前記内側面パネルには、幅方向略中央で、前記外側面パネルとの接着部に達しない任意の位置を第１頂点とし、この第１頂点から前記底面パネル側の両隅角部に繋がり、前記内側面パネルの底側辺とで略三角形を形成する山状の上げ底部形成用第１山折線がそれぞれ対称位置に設けられ、さらに、前記第１頂点から前記内側面パネルの底側辺に垂下させた上げ底部形成用第２谷折線が設けられ、また、底面パネルには、前記内側面パネルの底側辺に垂下させた上げ底部形成用第２谷折線間を繋ぐ上げ底部形成用第３谷折線が設けられていることを特徴とする
【０００９】
請求項２に記載の発明は、請求項１に記載の前記外側面パネルには、前記外側面パネルの上側辺と前記上げ底部形成用第２谷折線の延長線とが交叉する位置を第２頂点とし、この第２頂点から前記外側面パネルの左右側辺に向かって、前記上げ底部形成用第１山折線と略平行な山状の上げ底部形成用第１補助谷折線が設けられ、さらに、前記第２頂点から前記外側面パネルの底側辺に垂下させた上げ底部形成用第２補助山折線が設けられていることを特徴とする
【発明の効果】
【００１０】
請求項１に記載の衛生用紙収納箱によれば、前記底面パネルの左右両端に連接した前記内側面パネルには、幅方向略中央で、前記外側面パネルとの接着部に達しない任意の位置を第１頂点とし、この第１頂点から前記底面パネル側の両隅角部に繋がり、前記内側面パネルの底側辺とで略三角形を形成する山状の上げ底部形成用第１山折線がそれぞれ対称位置に設けられ、さらに、前記第１頂点から前記内側面パネルの底側辺に垂下させた上げ底部形成用第２谷折線が設けられ、また、底面パネルには、前記内側面パネルの底側辺に垂下させた上げ底部形成用第２谷折線間を繋ぐ上げ底部形成用第３谷折線が設けられているので、底面パネルの中央部を押し込むようにして、底面パネルに設けられている上げ底部形成用第３谷折線を谷折りさせながら、前記内側面パネルに設けられている上げ底部形成用第１山折線を山折りさせるとともに、上げ底部形成用第２谷折線を谷折りさせることにより、底面パネルに、上げ底部形成用第３谷折線を山頂とする山状上げ底部が形成され、この山状上げ底部により箱体内に収納された衛生用紙を前記上面パネルに開口する取り出し口近傍まで持ち上げることができ、残り少なくなった衛生用紙を容易に取り出すことができる。
また、底面パネルにおける山状上げ底部の形成は、前記内側面パネルに設けられている上げ底部形成用第１山折線を山折りして形成するので、特許文献１の衛生用紙収納箱のように、衛生用紙収納箱を逆さにする必要はなく、山状上げ底部の形成が容易である。また山状上げ底部の形成の際、交互に折り畳まれて積層された衛生用紙を崩すおそれは生じない。
また、上げ底部形成用第１山折線を設ける前記内側面パネルの面積が小さいので、上げ底部形成用第１山折線も短くなり、上げ底部形成用第１山折線を山折りしたときの応力による前記内側面パネルの歪みも小さい。しかも前記内側面パネルは、前記上面パネルの左右両端に連接した外側面パネルが外側に重ねられ接着されているので、前記内側面パネルの歪みは外側面パネルにより抑えられることになる。従って、底面パネルにおける山状上げ底部の形成の際に、前記内側面パネル及び前記外側面パネルの接着部が前記内側面パネルの歪みによって剥離し、前記内側面パネル及び前記外側面パネルが意図せず開放される、あるいは、内側面パネルの歪みにより取り出し口が拡開するといった事態の発生を防止できる。
【００１１】
請求項２に記載の衛生用紙収納箱によれば、請求項１に記載の前記外側面パネルには、前記外側面パネルの上側辺と前記上げ底部形成用第２谷折線の延長線とが交叉する位置を第２頂点とし、この第２頂点から前記外側面パネルの左右側辺に向かって、前記上げ底部形成用第１山折線と略平行な山状の上げ底部形成用第１補助谷折線が設けられ、さらに、前記第２頂点から前記外側面パネルの底側辺に垂下させた上げ底部形成用第２補助山折線が設けられているので、底面パネルに設けられている上げ底部形成用第３谷折線を谷折りさせ、前記内側面パネルに設けられている上げ底部形成用第１山折線を山折りさせ、上げ底部形成用第２谷折線を谷折りさせるとともに、前記外側面パネルに設けられた上げ底部形成用第１補助谷折線を谷折りし、上げ底部形成用第２補助山折線を山折りすることにより、底面パネルに設けられている上げ底部形成用第３谷折線の谷折り、前記内側面パネルに設けられている上げ底部形成用第１山折線の山折り、上げ底部形成用第２谷折線の谷折りが一層容易となり、底面パネルに山状上げ底部を容易に形成することができる。
また、底面パネルに設けられている上げ底部形成用第３谷折線を谷折りし、内側面パネルに設けられている上げ底部形成用第１山折線を山折りし、上げ底部形成用第２谷折線を谷折りしたときの応力による内側面パネルの歪みが外側面パネルに設けられた上げ底部形成用第１補助谷折線の谷折りにより吸収され、また、谷折りされた外側面パネルに設けられた上げ底部形成用第１補助谷折線がリブとなって内側面パネルの歪みを抑えるので、内側面パネルの歪みが一層効果的に抑えられることになり、前記内側面パネル及び前記外側面パネルが意図せず開放される、あるいは、内側面パネルの歪みにより取り出し口が拡開するといった事態の発生をより確実に防止できる。
【図面の簡単な説明】
【００１２】
【図１】本発明に係る衛生用紙収納箱の形態の一例を示す斜視図である。
【図２】本例の展開図である。
【図３】底面パネルに山状上げ底部を形成した状態を示す斜視図である。
【図４】図３の正面図である。
【図５】本例の底面パネルに山状上げ底部を形成した状態を示す側面図である。
【図６】本例の底面パネルに山状上げ底部を形成し、衛生用紙を盛り上げた状態を示す断面説明図である。
【発明を実施するための形態】
【００１３】
以下、本発明に係る衛生用紙収納箱を実施するための形態を説明する。
図１乃至図６は本発明に係る衛生用紙収納箱の実施の形態の一例を示すもので、図１は本発明に係る衛生用紙収納箱の形態の一例を示す斜視図、図２は本例の展開図、図３は底面パネルに山状上げ底部を形成した状態を示す斜視図、図４は図３の正面図、図５は本例の底面パネルに山状上げ底部を形成した状態を示す側面図、図６は本例の底面パネルに山状上げ底部を形成し、衛生用紙を盛り上げた状態を示す断面説明図である。
【００１４】
本例の衛生用紙収納箱は、略直方体の紙製の箱体１内にポップアップ式に取り出せるように交互に折り畳まれて積層された衛生用紙２が収納されたものである。この箱体１は、図２に示すブランクシート３により組立てられる。ブランクシート３は、折線４，５，６を介して図中上下方向に連接する長方形状の背面パネル７、上面パネル８、正面パネル９、底面パネル１０と、底面パネル１０の左右両端に折線１１を介して連接する一対の内側面パネル１２と、上面パネル８の左右両端に折線１３を介して連接し内側面パネル１２の外側に重ねられ接着される一対の外側面パネル１４と、背面パネル７と正面パネル９の左右両端に折線１５，１６を介して連接し内側面パネル１２の内側に折り込まれるそれぞれ一対の折込パネル１７，１８と、底面パネル１０の下端に折線１９を介して連接し前記背面パネル７に接着される糊代パネル２０とで構成されている。
【００１５】
前記上面パネル８には、左右に略長方形の取り出し口形成用切り込み枠２３が設けられ、取り出し口形成用切り込み枠２３の中央には波状の切り込み線２４が設けられている。
【００１６】
また、前記内側面パネル１２には、幅方向略中央で、外側面パネル１４との接着部Ｓに達しない任意の位置を第１頂点Ｔ１とし、この第１頂点Ｔ１から底面パネル１０側の両隅角部に繋がり、折線１１で形成される内側面パネル１２の底側辺とで略三角形を形成する山状の上げ底部形成用第１山折線２５がそれぞれ対称位置に設けられ、さらに、第１頂点Ｔ１から内側面パネル１２の底側辺に垂下させた上げ底部形成用第２谷折線２６が設けられている。また、底面パネル１０には、内側面パネル１２の底側辺に垂下させた上げ底部形成用第２谷折線２６間を繋ぐ上げ底部形成用第３谷折線２７が設けられている。
【００１７】
また、本例では、外側面パネル１４には、折線１３で形成される外側面パネル１４の上側辺と上げ底部形成用第２谷折線２６の延長線とが交叉する位置を第２頂点Ｔ２とし、この第２頂点Ｔ２から外側面パネル１４の左右の側辺に向かって、上げ底部形成用第１山折線２５と略平行な山状の上げ底部形成用第１補助谷折線２８が設けられ、さらに、第２頂点Ｔ２から外側面パネル１４の底側辺に垂下させた上げ底部形成用第２補助山折線２９が設けられている。
【００１８】
前記ブランクシート３による箱体１は、折線４，５，６，１９から背面パネル７、上面パネル８、正面パネル９、底面パネル１０、糊代パネル２０を山折りして、糊代パネル２０を背面パネル７に接着し、また、背面パネル７と正面パネル９の左右両端に連接する折込パネル１７，１８を折線１５，１６から山折りし、さらに底面パネル１０の左右両端に連接する内側面パネル１２を折線１１から山折りして折込パネル１７，１８の外側に重ね、上面パネル８の左右両端に連接する外側面パネル１４を折線１３から山折りして内側面パネル１２の外側に重ねて接着することにより組み立てられる。
そして、この箱体１内には、内側面パネル１２に外側面パネル１４を接着する前に、ポップアップ式に取り出せるように交互に折り畳まれて積層された衛生用紙２が収納され、内側面パネル１２に外側面パネル１４が接着されて図１に示す衛生用紙収納箱が完成する。
【００１９】
上記のように構成された衛生用紙収納箱によれば、底面パネル１０の左右両端に連接した内側面パネル１２には、幅方向略中央で、外側面パネル１４との接着部Ｓに達しない任意の位置を第１頂点Ｔ１とし、この第１頂点Ｔ１から底面パネル１０側の両隅角部に繋がり、内側面パネル１２の底側辺とで略三角形を形成する山状の上げ底部形成用第１山折線２５がそれぞれ対称位置に設けられ、さらに、第１頂点Ｔ１から内側面パネル１２の底側辺に垂下させた上げ底部形成用第２谷折線２６が設けられ、また、底面パネル１０には、内側面パネル１２に設けられている上げ底部形成用第２谷折線２６間を繋ぐ上げ底部形成用第３谷折線２７が設けられているので、底面パネル１０の中央部を押し込むようにして、底面パネル１０に設けられている上げ底部形成用第３谷折線２７を谷折りさせながら、内側面パネル１２に設けられている上げ底部形成用第１山折線２５を山折りさせるとともに、上げ底部形成用第２谷折線２６を谷折りさせることにより、底面パネル１０に、上げ底部形成用第３谷折線２７を山頂とする山状上げ底部３０が形成される（図３参照。）。
【００２０】
この山状上げ底部３０により箱体１内に収納された衛生用紙２を上面パネル８に開口する取り出し口３１近傍まで持ち上げることができ、残り少なくなった衛生用紙２を容易に取り出すことができる（図６参照。）。
また、底面パネル１０における山状上げ底部３０の形成は、内側面パネル１２に設けられている上げ底部形成用第１山折線２５を山折りして形成するので、特許文献１の衛生用紙収納箱のように、衛生用紙収納箱を逆さにする必要はなく、山状上げ底部３０の形成が容易であり、また山状上げ底部３０の形成の際、交互に折り畳まれて積層された衛生用紙２を崩すおそれは生じない。
【００２１】
また、上げ底部形成用第１山折線２５を設ける内側面パネル１２の面積が小さいので、上げ底部形成用第１山折線２５も短く、上げ底部形成用第１山折線２５を山折りしたときの応力による内側面パネル１２の歪みも小さい。しかも内側面パネル１２は、外側面パネル１４が外側に重ねられ接着されているので、内側面パネル１２の歪みは外側面パネル１４により抑えられる。
【００２２】
また、本例では、外側面パネル１４の上側辺と上げ底部形成用第２谷折線２６の延長線とが交叉する位置を第２頂点Ｔ２とし、この第２頂点Ｔ２から外側面パネル１４の左右の側辺に向かって、上げ底部形成用第１山折線２５と略平行な山状の上げ底部形成用第１補助谷折線２８が設けられ、さらに、第２頂点Ｔ２から外側面パネル１４の底側辺に垂下させた上げ底部形成用第２補助山折線２９が設けられている。底面パネル１０に設けられている上げ底部形成用第３谷折線２７を谷折りさせ、内側面パネル１２に設けられている上げ底部形成用第１山折線２５を山折りさせ、上げ底部形成用第２谷折線２６を谷折りさせるとともに、外側面パネル１４に設けられた上げ底部形成用第１補助谷折線２８を谷折りし、上げ底部形成用第２補助山折線２９を山折りすることにより、底面パネル１０に設けられている上げ底部形成用第３谷折線２７の谷折り、内側面パネル１２に設けられている上げ底部形成用第１山折線２５の山折り、上げ底部形成用第２谷折線２６の谷折りが一層容易となり、底面パネル１０に山状上げ底部３０を容易に形成することができる。
【００２３】
また、底面パネル１０に設けられている上げ底部形成用第３谷折線２７を谷折りし、内側面パネル１２に設けられている上げ底部形成用第１山折線２５を山折りし、上げ底部形成用第２谷折線２６を谷折りしたときの応力による内側面パネル１２の歪みが外側面パネル１４に設けられた上げ底部形成用第１補助谷折線２８の谷折りにより吸収され、また、谷折りされた外側面パネル１４に設けられた上げ底部形成用第１補助谷折線２８がリブとなって内側面パネル１２の歪みを抑えるので、内側面パネル１２の歪みが一層効果的に抑えられることになる。
【符号の説明】
【００２４】
１  箱体
２  衛生用紙
３  ブランクシート
４，５，６  折線
７  背面パネル
８  上面パネル
９  正面パネル
１０  底面パネル
１１  折線
１２  内側面パネル
１３  折線
１４  外側面パネル
１５，１６  折線
１７，１８  折込パネル
１９  折線
２０  糊代パネル
２３  取り出し口形成用切り込み枠
２４  切り込み線
２５  上げ底部形成用第１山折線
２６  上げ底部形成用第２谷折線
２７  上げ底部形成用第３谷折線
２８  上げ底部形成用第１補助谷折線
２９  上げ底部形成用第２補助山折線
３０  山状上げ底部
３１  取り出し口
Ｓ  接着部
Ｔ１  第１頂点
Ｔ２  第２頂点
【図１】
0005817988.tif 000002
【図２】
0005817988.tif 000003
【図３】
0005817988.tif 000004
【図４】
0005817988.tif 000005
【図５】
0005817988.tif 000006
【図６】
0005817988.tif 000007